(57)【要約】【課題】互いに接続される端子における高い接続信頼性を維持させることが可能なコネクタ及び電源回路遮断装置を提供すること。【解決手段】第２端子７０は、第１端子６０の幅寸法Ｗよりも大きな間隔Ｇをあけて互いに対向位置に配置された接触片８２を有する。第２コネクタハウジング２０は、第１コネクタハウジング１０への嵌合方向に延在する一対の押圧板部９３を有し、第２端子７０は、押圧板部９３間に収容されて接触片８２の一部が押圧板部９３間から突出した初期位置と押圧板部９３間に入り込んだ引込位置との間で変位可能とされ、第１コネクタハウジング１０に第２コネクタハウジング２０が完全に嵌合される本嵌合状態で、第２端子７０が押圧板部９３間へ押し込まれて初期位置から引込位置に変位し、接触片８２が押圧板部９３によって第１端子６０へ向かってそれぞれ押圧されて端子板部６２へ接触される。【選択図】図６
2020202028.tif 000002
【特許請求の範囲】
【請求項１】
第１コネクタハウジングと、
前記第１コネクタハウジングに嵌合及び離脱される第２コネクタハウジングと、
前記第１コネクタハウジングに設けられ、電気絶縁性を有する板部を介して一対の端子板部が重ね合わされた第１端子と、
前記第２コネクタハウジングに設けられ、前記第１端子の幅寸法よりも大きな間隔をあけて互いに対向位置に配置された接触片を有し、前記第１コネクタハウジングに対して前記第２コネクタハウジングが嵌合及び離脱されることで前記接触片の間に前記第１端子が挿抜されるＵ字状の第２端子と、
を備え、
前記第２コネクタハウジングは、前記第１コネクタハウジングへの嵌合方向に延在する一対の押圧板部を有し、
前記第２端子は、前記押圧板部間に収容されて前記接触片の一部が前記押圧板部間から突出した初期位置と前記押圧板部間に入り込んだ引込位置との間で変位可能とされ、
前記第１コネクタハウジングに前記第２コネクタハウジングが完全に嵌合される本嵌合状態で、前記第２端子が前記押圧板部間へ押し込まれて前記初期位置から前記引込位置に変位し、前記接触片が前記押圧板部によって前記第１端子へ向かってそれぞれ押圧されて前記端子板部へ接触される
ことを特徴とするコネクタ。
【請求項２】
前記第２コネクタハウジングは、前記第２端子を前記初期位置へ向かって付勢する付勢部材を有する
ことを特徴とする請求項１に記載のコネクタ。
【請求項３】
前記第２コネクタハウジングは、回動可能に支持されたレバーを備え、
前記レバーが回動されることで、前記第１コネクタハウジングに対する嵌合力が付与される
ことを特徴とする請求項１または請求項２に記載のコネクタ。
【請求項４】
請求項１〜３のいずれか一項に記載のコネクタからなり、前記第１端子と前記第２端子とが、電源回路をオン・オフさせるスイッチ部とされている
ことを特徴とする電源回路遮断装置。
【請求項５】
前記本嵌合状態において前記スイッチ部とともにオン状態とされ、前記第１コネクタハウジングに対して前記第２コネクタハウジングが離脱方向へ変位する途中で前記スイッチ部がオン状態に維持される仮嵌合状態においてオフ状態とされて前記スイッチ部の回路の通電を遮断するサブスイッチ部を備える
ことを特徴とする請求項４に記載の電源回路遮断装置。
【発明の詳細な説明】
【技術分野】
【０００１】
本発明は、コネクタ及び電源回路遮断装置に関する。
【背景技術】
【０００２】
例えば、電気自動車やハイブリッド車等の車両には、電気系統のメンテナンス等での作業安全性を確保するために、電源と負荷との間の通電を遮断するサービスプラグといわれる電源回路遮断装置が設けられる。
【０００３】
この種の電源回路遮断装置は、第１ハウジングと、第１ハウジングに対して着脱される第２ハウジングとを備え、第１ハウジングに設けられた雌端子と第２ハウジングに設けられた雄端子とから電源スイッチが構成されたものがある（例えば、特許文献１，２参照）。この電源回路遮断装置では、第１ハウジングに対して第２ハウジングが着脱されることで、雌端子に対して雄端子が挿抜され、電源スイッチがオン・オフされる。
【先行技術文献】
【特許文献】
【０００４】
【特許文献１】特開２０１２−２４３５５９号公報
【特許文献２】特開２０１３−０６２０４３号公報
【発明の概要】
【発明が解決しようとする課題】
【０００５】
ところで、上記の電源回路遮断では、第１ハウジングに対して第２ハウジングが着脱されるたびに雌端子に対して雄端子が挿抜されて接点部同士が摺動する。このため、第１ハウジングに対する第２ハウジングの着脱操作が繰り返されると、雌端子と雄端子との互いに摺動する接点部の表面が削れるおそれがある。また、互いの端子の表面に施したメッキが削れて下地部分が露出し、この露出部分が酸化して電気抵抗が増加し、信頼性が低下するおそれがある。
【０００６】
本発明は、上述した事情に鑑みてなされたものであり、その目的は、互いに接続される端子における高い接続信頼性を維持させることが可能なコネクタ及び電源回路遮断装置を提供することにある。
【課題を解決するための手段】
【０００７】
本発明の上記目的は、下記構成により達成される。
（１）  第１コネクタハウジングと、
前記第１コネクタハウジングに嵌合及び離脱される第２コネクタハウジングと、
前記第１コネクタハウジングに設けられ、電気絶縁性を有する板部を介して一対の端子板部が重ね合わされた第１端子と、
前記第２コネクタハウジングに設けられ、前記第１端子の幅寸法よりも大きな間隔をあけて互いに対向位置に配置された接触片を有し、前記第１コネクタハウジングに対して前記第２コネクタハウジングが嵌合及び離脱されることで前記接触片の間に前記第１端子が挿抜されるＵ字状の第２端子と、
を備え、
前記第２コネクタハウジングは、前記第１コネクタハウジングへの嵌合方向に延在する一対の押圧板部を有し、
前記第２端子は、前記押圧板部間に収容されて前記接触片の一部が前記押圧板部間から突出した初期位置と前記押圧板部間に入り込んだ引込位置との間で変位可能とされ、
前記第１コネクタハウジングに前記第２コネクタハウジングが完全に嵌合される本嵌合状態で、前記第２端子が前記押圧板部間へ押し込まれて前記初期位置から前記引込位置に変位し、前記接触片が前記押圧板部によって前記第１端子へ向かってそれぞれ押圧されて前記端子板部へ接触される
ことを特徴とするコネクタ。
【０００８】
上記（１）の構成のコネクタによれば、第２端子の接触片が第１端子の幅寸法よりも大きな間隔をあけて互いに対向位置に配置されている。したがって、第１コネクタハウジングに対して第２コネクタハウジングが嵌合及び離脱されて接触片の間に第１端子が挿抜される際に、第１端子の端子板部に対して第２端子の接触片が摺動されない。そして、第１コネクタハウジングに第２コネクタハウジングが完全嵌合されて第２端子が引込位置に変位すると、接触片が押圧板部によって第１端子へ向かってそれぞれ押圧される。これにより、第２端子の接触片が第１端子の端子板部へ接触されて導通され、良好な導通状態が確保される。
つまり、第１端子の端子板部と第２端子の接触片とが摺動しないので、第１端子及び第２端子の表面の削れを抑制することができ、削れた金属粉の発生を抑えることができる。特に、第１端子及び第２端子の表面にメッキ処理を施した場合では、そのメッキが剥がれて露出した下地が酸化して電気抵抗が増加するなどの不具合を抑えることができる。したがって、互いに接続される第１端子及び第２端子における高い接続信頼性を維持させることができる。
【０００９】
（２）  前記第２コネクタハウジングは、前記第２端子を前記初期位置へ向かって付勢する付勢部材を有する
ことを特徴とする（１）に記載のコネクタ。
【００１０】
上記（２）の構成のコネクタによれば、第１コネクタハウジングに対して第２コネクタハウジングが離間された際に、付勢部材によって第２端子を、重力等の外力に影響されることなく初期位置へ円滑に戻すことができる。これにより、設置する際の姿勢の制限をなくすことができる。
【００１１】
（３）  前記第２コネクタハウジングは、回動可能に支持されたレバーを備え、
前記レバーが回動されることで、前記第１コネクタハウジングに対する嵌合力が付与される
ことを特徴とする（１）または（２）に記載のコネクタ。
【００１２】
上記（３）の構成のコネクタによれば、レバーを回動させることで、第１コネクタハウジングに対する第２コネクタハウジングの嵌合を小さな操作力で容易に行うことができる。これにより、操作性に優れたコネクタを提供できる。
【００１３】
（４）  （１）〜（３）のいずれか一つに記載のコネクタからなり、前記第１端子と前記第２端子とが、電源回路をオン・オフさせるスイッチ部とされている
ことを特徴とする電源回路遮断装置。
【００１４】
上記（４）の構成の電源回路遮断装置によれば、接続信頼性の高い第１端子と第２端子とからなるスイッチ部を備えるので、高い信頼性が得られる。
【００１５】
（５）  前記本嵌合状態において前記スイッチ部とともにオン状態とされ、前記第１コネクタハウジングに対して前記第２コネクタハウジングが離脱方向へ変位する途中で前記スイッチ部がオン状態に維持される仮嵌合状態においてオフ状態とされて前記スイッチ部の回路の通電を遮断するサブスイッチ部を備える
ことを特徴とする（４）に記載の電源回路遮断装置。
【００１６】
上記（５）の構成の電源回路遮断装置によれば、第２コネクタハウジングが本嵌合状態から仮嵌合状態とされるとき、サブスイッチ部がオフ状態とされて回路の通電が遮断されたスイッチ部はオン状態に維持される。したがって、サブスイッチ部に対してスイッチ部がオフ状態とされるタイミングを遅らせることで、回路の残留電流によるアークやスパーク等の発生を抑制することができる。
【発明の効果】
【００１７】
本発明によれば、互いに接続される端子における高い接続信頼性を維持させることが可能なコネクタ及び電源回路遮断装置を提供できる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】図１は、本実施形態に係るコネクタの第１コネクタハウジングから第２コネクタハウジングを分離させた状態の斜視図である。
【図２】図２は、本実施形態に係るコネクタの離脱状態における斜視図である。
【図３】図３は、本実施形態に係るコネクタの本嵌合状態における斜視図である。
【図４】図４は、本実施形態に係るコネクタの分解斜視図である。
【図５】図５は、図２におけるＡ−Ａ断面図である。
【図６】図６は、図２におけるＢ−Ｂ断面図である。
【図７】図７は、図３におけるＣ−Ｃ断面図である。
【図８】図８は、図３におけるＤ−Ｄ断面図である。
【図９】図９は、コネクタの状態を示す図であって、図９（ａ）は本嵌合状態のコネクタの一部を断面視した側面図、図９（ｂ）は仮嵌合状態のコネクタの一部を断面視した側面図である。
【図１０】図１０は、コネクタのサブスイッチ部の状態を示す図であって、図１０（ａ）は本嵌合状態のコネクタのサブスイッチ部の断面図、図１０（ｂ）は仮嵌合状態のコネクタのサブスイッチ部の断面図である。
【図１１】図１１は、仮嵌合状態のコネクタの幅方向に沿う断面図である。
【発明を実施するための形態】
【００２０】
以下、本発明に係る実施の形態の例を、図面を参照して説明する。
図１は、本実施形態に係るコネクタの第１コネクタハウジングから第２コネクタハウジングを分離させた状態の斜視図である。図２は、本実施形態に係るコネクタの離脱状態における斜視図である。図３は、本実施形態に係るコネクタの本嵌合状態における斜視図である。
【００２１】
図１から図３に示すように、本実施形態に係るコネクタ１は、第１コネクタハウジング１０と、第２コネクタハウジング２０とを備えている。第１コネクタハウジング１０及び第２コネクタハウジング２０は、いずれも電気絶縁性を有する合成樹脂から成形されている。第２コネクタハウジング２０は、第１コネクタハウジング１０に対して挿抜方向Ｘに沿って嵌合及び離脱される。第２コネクタハウジング２０は、合成樹脂製のレバー４０を備えている。レバー４０は、第２コネクタハウジング２０に対して回動可能に設けられており、このレバー４０を回動させることで、第２コネクタハウジング２０と第１コネクタハウジング１０との間に嵌合力が付与される。このように、コネクタ１は、レバー４０の回動操作によって第１コネクタハウジング１０に対して第２コネクタハウジング２０を嵌合させるレバー式のコネクタである。
【００２２】
このコネクタ１は、例えば、電気自動車やハイブリッド車などの車両において、電気系統のメンテナンス等での作業安全性を確保するため、電源部と負荷との間の通電を遮断する、いわゆるサービスプラグといわれる電源回路遮断装置として用いられる。具体的には、第１コネクタハウジング１０に対して第２コネクタハウジング２０が接合されることで、電源部と負荷との間が通電可能とされ、第１コネクタハウジング１０から第２コネクタハウジング２０が離脱されることで、電源部と負荷との間の通電が遮断される。
【００２３】
図４は、本実施形態に係るコネクタの分解斜視図である。図５は、図２におけるＡ−Ａ断面図である。図６は、図２におけるＢ−Ｂ断面図である。図７は、図３におけるＣ−Ｃ断面図である。図８は、図３におけるＤ−Ｄ断面図である。
【００２４】
図４から図８に示すように、第１コネクタハウジング１０は、外周へ張り出すフランジ部１１を有しており、このフランジ部１１をケースに固定することで電源装置等に取り付けられる。このフランジ部１１には、ボルト挿通孔１１ａが形成されており、このボルト挿通孔１１ａに挿通させたボルト（図示略）を電源装置等のケースのボルト孔にねじ込むことで、第１コネクタハウジング１０が電源装置等に取り付けられる。
【００２５】
第１コネクタハウジング１０は、上方側が開放された収容筒部１３を有している。収容筒部１３は、平面視長方形状の角筒状に形成されている。この収容筒部１３は、一対の側板部１４と、一対の端板部１５とを有している。この収容筒部１３を構成する側板部１４には、一端寄りにおける上縁に、側方へ突出する一対のメインロック爪１６が形成されている。さらに、収容筒部１３の一端側の端板部１５には、その上縁に、一対のサブロック爪１７が形成されている。また、収容筒部１３の側板部１４には、他端寄りにおける上縁に、側方へ突出するボス１８が形成されている。
【００２６】
第１コネクタハウジング１０の一端側には、フランジ部１１から立設された端子台５１が形成されており、この端子台５１には、一対のサブ端子５２が設けられている。これらのサブ端子５２には、信号線３が接続されており、サブ端子５２は、端子台５１に対して第１コネクタハウジング１０の下方側から挿し込まれて装着される。
【００２７】
第１コネクタハウジング１０には、収容筒部１３の内部に第１端子６０を構成する導電性金属材料から形成された平板状のバスバーからなる一対の端子板６１が設けられている。端子板６１は、その一端部が端子板部６２とされており、他端部がボルト部６３を有する接続部６４とされている。端子板６１の接続部６４に設けられたボルト部６３は、電源線２の端部に設けられた接続端子５の挿通孔５ａに通され、ナット（図示略）が締結される。これにより、端子板６１の接続部６４には、電源装置等からの電源線２が接続される。
【００２８】
それぞれの端子板６１の端子板部６２は、第１コネクタハウジング１０に対して下方側から挿し込まれ、第１コネクタハウジング１０の一部からなる絶縁板部（板部）１９を挟んで配置される。この絶縁板部１９には、その上端部に、突条部１９ａが形成されている。そして、第１コネクタハウジング１０には、絶縁板部１９を介して重ね合わされた一対の端子板６１の端子板部６２から第１端子６０が構成されている。
【００２９】
第２コネクタハウジング２０は、角筒状に形成されたハウジング本体２１を有している。ハウジング本体２１は、一対の側板部２２と、一対の端板部２３とを有している。このハウジング本体２１の側板部２２には、外方へ突出する一対の支持軸２４が形成されている。また、ハウジング本体２１には、その内部に、保持板部２５が形成されている。保持板部２５は、端板部２３の内面同士に架け渡されるように一体に形成されている。この保持板部２５には、挿通窓２５ａが形成されている。また、ハウジング本体２１には、それぞれの端板部２３の内面に、係止爪２６が形成されている。
【００３０】
ハウジング本体２１には、その上方側から第２端子７０及びホルダ７１が組付けられる。
【００３１】
第２端子７０は、導電性金属材料から形成されたバスバーからなるもので、平板部８１と、この平板部８１から同一方向へ延びる一対の接触片８２とを有する側面視略コ字状に形成されている。接触片８２は、その先端近傍における対向側が接点部８３とされている。また、接触片８２は、その先端部分が互いに離間する外方へ屈曲されて張り出した膨出部８４を有している。
【００３２】
この第２端子７０は、ハウジング本体２１に対して上方から組付けられる。これにより、第２端子７０は、平板部８１が保持板部２５に係合し、下方への移動が規制された状態にハウジング本体２１内に収容される。
【００３３】
ホルダ７１は、電気絶縁性を有する樹脂材料から形成されている。ホルダ７１は、その上部が上面板部９１によって塞がれた箱型に形成されている。このホルダ７１は、平面視において、ハウジング本体２１の内形よりも僅かに小さい外形を有しており、ハウジング本体２１に対して上方側から嵌合されて組付けられる。ホルダ７１には、その両側部に、係止溝９２が形成されており、ホルダ７１をハウジング本体２１内に組み付けることで、係止溝９２に係止爪２６が入り込む。これにより、ハウジング本体２１内に組付けられたホルダ７１は、係止爪２６によって係止されてハウジング本体２１に組付けられた状態に維持される。
【００３４】
ホルダ７１は、互いに対向する一対の押圧板部９３を有している。これらの押圧板部９３は、ハウジング本体２１への組付け方向である下方へ向かって延在されており、互いに間隔をあけて並列に配置されている。
【００３５】
また、ホルダ７１には、上面板部９１の内面側に、係止突起９４が形成されている。この係止突起９４には、ホルダ７１の下方側からコイルバネ（付勢部材）９６が嵌装されている。これにより、ホルダ７１には、その上面板部９１の内面側にコイルバネ９６が取り付けられる。
【００３６】
ホルダ７１をハウジング本体２１に組み付けると、第２端子７０は、ホルダ７１の押圧板部９３の間に配置されて収容される。そして、この第２端子７０は、押圧板部９３間に収容されて接触片８２の膨出部８４を有する先端の一部が押圧板部９３間から突出した初期位置（図６参照）と、押圧板部９３間に完全に入り込んだ引込位置（図８参照）との間で変位可能とされる。
【００３７】
また、ホルダ７１をハウジング本体２１に組み付けると、ホルダ７１の上面板部９１と、保持板部２５に係合された第２端子７０の平板部８１との間にコイルバネ９６が配置される。これにより、第２端子７０は、コイルバネ９６の弾性力により、初期位置へ向かって付勢され、平板部８１が保持板部２５に当接される。第２端子７０は、接触片８２の膨出部８４を有する一部が押圧板部９３間から突出した初期位置で、接触片８２の接点部８３同士の間に、第１端子６０の幅寸法Ｗよりも大きな間隔Ｇが形成される（図６参照）。
【００３８】
レバー４０は、合成樹脂から成形されたもので、一対のアーム部１０１と、連結部１０２とを有している。アーム部１０１は、一端側が連結部１０２によって連結されており、他端近傍に軸受孔１０４を有している。アーム部１０１の軸受孔１０４には、第２コネクタハウジング２０の支持軸２４が挿入されており、これにより、レバー４０は、第２コネクタハウジング２０に対して回動可能に支持されている。レバー４０は、アーム部１０１の他端に引込面１０５ａを有するカム凹部１０５を有している。
【００３９】
第２コネクタハウジング２０に回動可能に支持されたレバー４０は、挿抜方向Ｘに沿う離脱操作位置（図２参照）と、挿抜方向Ｘに直交する方向に沿う本嵌合操作位置（図３参照）との間で回動する。
【００４０】
レバー４０のアーム部１０１には、連結部１０２の近傍部分に、メインロック突起１０６が形成されている。これらのメインロック突起１０６は、第１コネクタハウジング１０の収容筒部１３に形成されたメインロック爪１６を係止する。そして、このメインロック爪１６とメインロック突起１０６とから、メインロック部ＭＲが構成されている（図２参照）。このメインロック部ＭＲは、レバー４０が本嵌合操作位置に配置された状態でメインロック突起１０６がメインロック爪１６を係止して第１コネクタハウジング１０に対してレバー４０をロックし、レバー４０の回動を規制する。そして、コネクタ１は、レバー４０が本嵌合操作位置に配置されてメインロック部ＭＲでロックされた状態が本嵌合状態とされる（図３、図７及び図８参照）。また、コネクタ１は、レバー４０が離脱操作位置に配置されて第１コネクタハウジング１０の収容筒部１３から第２コネクタハウジング２０が一部を残して抜き出された状態が離脱状態とされる（図２、図５及び図６参照）。
【００４１】
レバー４０の連結部１０２には、二つのサブロック片１１１を有するサブロック板部１１２が形成されている。また、サブロック板部１１２には、ロック解除部１１３が形成されている（図６参照）。
【００４２】
サブロック板部１１２のサブロック片１１１は、第１コネクタハウジング１０の収容筒部１３に形成されたサブロック爪１７に係止可能とされている。そして、このサブロック爪１７とサブロック片１１１とから、サブロック部ＳＲが構成されている（図２参照）。このサブロックＳＲは、レバー４０が本嵌合操作位置から離脱操作位置へ向かう回動途中にサブロック片１１１がサブロック爪１７を係止し、レバー４０の回動を規制する。レバー４０は、本嵌合操作位置から離脱操作位置へ向かう回動途中にサブロック部ＳＲでロックされる位置が仮嵌合操作位置とされる。そして、コネクタ１は、レバー４０が仮嵌合操作位置でロックされた状態が仮嵌合状態とされる。この仮嵌合状態において、サブロック板部１１２のロック解除部１１３を押圧して弾性変形させることで、サブロック爪１７に対するサブロック片１１１の係止が解除される。これにより、仮嵌合操作位置でロックされていたレバー４０は、再び離脱操作位置へ向かう回動が可能とされる。
【００４３】
また、レバー４０の連結部１０２には、バスバー保持部１１５が形成されており、このバスバー保持部１１５には、ショート端子１１６が設けられている。このショート端子１１６は、一対のタブ部１１７を有している。このショート端子１１６のタブ部１１７は、第１コネクタハウジング１０のサブ端子５２に接続可能とされている。このショート端子１１６のタブ部１１７がサブ端子５２に接続されると、サブ端子５２に接続された信号線３同士がショート端子１１６を介して電気的に接続される。
【００４４】
上記構成のコネクタ１は、第１端子６０と第２端子７０とからメインスイッチ部（スイッチ部）ＭＳｗが構成され（図８参照）、サブ端子５２とショート端子１１６とからサブスイッチ部ＳＳｗが構成されている（図７参照）。このコネクタ１を電源回路遮断装置として備えた電源装置等では、メインスイッチ部ＭＳｗがオン状態とされて電源線２同士が電気的に接続されることで電源回路が形成され、サブスイッチ部ＳＳｗがオン状態とされて信号線３同士が電気的に接続されることで信号回路が形成される。そして、電源回路遮断装置を備えた電源装置等では、メインスイッチ部ＭＳｗがオン状態となって電源回路が形成されたとしても、サブスイッチ部ＳＳｗがオン状態となって信号回路が形成されない限り電源回路を導通状態としないようになっている。つまり、メインスイッチ部ＭＳｗとサブスイッチ部ＳＳｗが共にオン状態となって初めて電源回路を導通状態とする。
【００４５】
次に、コネクタ１において、第１コネクタハウジング１０に対して第２コネクタハウジング２０を嵌合及び離脱させる場合について説明する。
図９は、コネクタの状態を示す図であって、図９（ａ）は本嵌合状態のコネクタの一部を断面視した側面図、図９（ｂ）は仮嵌合状態のコネクタの一部を断面視した側面図である。図１０は、コネクタのサブスイッチ部の状態を示す図であって、図１０（ａ）は本嵌合状態のコネクタのサブスイッチ部の断面図、図１０（ｂ）は仮嵌合状態のコネクタのサブスイッチ部の断面図である。図１１は、仮嵌合状態のコネクタの幅方向に沿う断面図である。
【００４６】
（嵌合させる場合）
第１コネクタハウジング１０に第２コネクタハウジング２０を嵌合させるには、第１コネクタハウジング１０に対して、レバー４０を離脱操作位置に配置させた第２コネクタハウジング２０を近接させる。そして、第１コネクタハウジング１０の収容筒部１３に、第２コネクタハウジング２０を嵌め込む。すると、レバー４０のアーム部１０１に形成されたカム凹部１０５内にボス１８が配置される。
【００４７】
この状態では、第２端子７０は、第１端子６０から離間されている。つまり、メインスイッチ部ＭＳｗはオフ状態であり、電源線２同士が非接続状態とされている。また、ショート端子１１６のタブ部１１７もサブ端子５２から離間されている。つまり、サブスイッチ部ＳＳｗはオフ状態であり、サブ端子５２に接続された信号線３同士が非接続状態とされている。
【００４８】
この状態において、離脱操作位置のレバー４０を本嵌合操作位置へ向かって回動させる。すると、レバー４０のカム凹部１０５内に配置された第１コネクタハウジング１０のボス１８が、レバー４０の回動に伴って引込面１０５ａによって相対的に押上げられる。これにより、第１コネクタハウジング１０と第２コネクタハウジング２０との間に嵌合力が付与され、第２コネクタハウジング２０が第１コネクタハウジング１０に引き込まれる。
【００４９】
第２コネクタハウジング２０が第１コネクタハウジング１０に引き込まれると、第２コネクタハウジング２０の第２端子７０の接触片８２の間に第１端子６０が挿し込まれる。このとき、接触片８２の接点部８３の間隔Ｇが第１端子６０の幅寸法Ｗよりも大きいため、接点部８３は第１端子６０の端子板６１の端子板部６２に摺動することはない。
【００５０】
さらに、第２コネクタハウジング２０が第１コネクタハウジング１０に引き込まれると、第１端子６０の絶縁板部１９の突条部１９ａが保持板部２５の挿通窓２５ａに挿し込まれ、第２端子７０の平板部８１に当接し、第２端子７０の移動が規制される。
【００５１】
その後、レバー４０が本嵌合操作位置に達すると、第１コネクタハウジング１０と第２コネクタハウジング２０とが互いに完全嵌合した本嵌合状態とされる。この本嵌合状態となると、第２コネクタハウジング２０では、移動が規制された第２端子７０に対してハウジング本体２１及びホルダ７１が第１コネクタハウジング１０に引き込まれ、第２端子７０がコイルバネ９６の弾性力に抗してホルダ７１に押し込まれる。すると、初期位置に配置されていた第２端子７０は、ホルダ７１の押圧板部９３同士の間に完全に入り込んだ引込位置に相対的に変位し、第２端子７０の各接触片８２が押圧板部９３によって第１端子６０へ向かって押圧される。これにより、接触片８２の接点部８３が第１端子６０の端子板６１の端子板部６２に押し付けられて接触する。つまり、メインスイッチ部ＭＳｗがオン状態となり、端子板６１に接続された電源線２同士が第２端子７０を介して電気的に接続される。
【００５２】
また、図９（ａ）及び図１０（ａ）に示すように、レバー４０が本嵌合操作位置に達してコネクタ１が本嵌合状態となるとショート端子１１６のタブ部１１７がサブ端子５２に挿し込まれて接続される。つまり、サブスイッチ部ＳＳｗがオン状態となり、サブ端子５２に接続された信号線３同士がショート端子１１６を介して電気的に接続される。
【００５３】
また、コネクタ１は、本嵌合状態とされることで、メインロック部ＭＲでは、レバー４０のメインロック突起１０６が収容筒部１３のメインロック爪１６に係合する。これにより、レバー４０が本嵌合操作位置に配置された状態でロックされ、レバー４０の回動が規制される。このように、本嵌合状態では、メインロック部ＭＲがレバー４０の回動を規制することで、第１コネクタハウジング１０と第２コネクタハウジング２０とが完全嵌合した状態でロックされ、本嵌合状態が維持される。
【００５４】
（離脱させる場合）
第１コネクタハウジング１０から第２コネクタハウジング２０を離脱させるには、本嵌合操作位置に配置されたレバー４０を把持して引き上げる。すると、レバー４０のメインロック突起１０６が収容筒部１３のメインロック爪１６から外れ、本嵌合状態を維持するメインロック部ＭＲによるレバー４０のロックが解除され、レバー４０が回動可能となる。
【００５５】
回動可能となったレバー４０を離脱操作位置へ向かって回動させると、回動させているレバー４０が仮嵌合操作位置に達する。すると、サブロック部ＳＲを構成するサブロック板部１１２のサブロック片１１１が収容筒部１３のサブロック爪１７に係止される。これにより、図９（ｂ）及び図１０（ｂ）に示すように、レバー４０が仮嵌合操作位置でロックされて回動が規制され、第１コネクタハウジング１０と第２コネクタハウジング２０とが仮嵌合状態とされる。仮嵌合状態とされると、サブ端子５２からショート端子１１６のタブ部１１７が引き抜かれる。つまり、サブスイッチ部ＳＳｗがオフ状態とされ、信号線３同士の電気的接続が解除される。
【００５６】
なお、図１１に示すように、仮嵌合状態では、接触片８２の接点部８３は、継続して互いに接触した状態に維持される。つまり、メインスイッチ部ＭＳｗは継続してオン状態となり、端子板６１が第２端子７０によって導通されて電源線２同士が電気的に接続された状態に維持される。
【００５７】
この仮嵌合状態からサブロック部ＳＲのロック解除部１１３を押圧し、サブロック部ＳＲによるロックを解除する。そして、回動可能となったレバー４０を再び離脱操作位置へ向かって回動させる。そして、離脱操作位置に達したレバー４０が引き上げられることによって第１コネクタハウジング１０と第２コネクタハウジング２０との間に離脱力が付与され、第１コネクタハウジング１０の収容筒部１３から第２コネクタハウジング２０が引き抜かれる。このとき、第２コネクタハウジング２０の変位に伴って、引込位置に配置されていた第２端子７０は、コイルバネ９６の弾性力によって第２コネクタハウジング２０のホルダ７１の押圧板部９３の間から押し出されて初期位置に戻される。すると、第２端子７０は、押圧板部９３の間から接触片８２の膨出部８４が押し出され、押圧板部９３による接触片８２の第１端子６０に向かう押圧が解除される。これにより、接触片８２が互いに離間する方向へ変位し、接触片８２の接点部８３が第１端子６０の端子板６１の端子板部６２から離間する。
【００５８】
その後、第２端子７０は、第２コネクタハウジング２０の引抜方向への移動により、ホルダ７１とともに第１端子６０から離間され、これにより、第１端子６０が第２端子７０の接触片８２の間から引き抜かれる。これにより、メインスイッチ部ＭＳｗがオフ状態とされ、電源線２同士の電気的接続状態が解除される。このとき、接触片８２の接点部８３の間隔Ｇが第１端子６０の幅寸法Ｗよりも大きいため、接点部８３は第１端子６０の端子板６１の端子板部６２に摺動することはない。
【００５９】
上記のコネクタ１では、メインスイッチ部ＭＳｗは、メインロック部ＭＲでロックされた本嵌合状態及びサブロック部ＳＲでロックされた仮嵌合状態でオン状態とされ、サブスイッチ部ＳＳｗは、メインロック部ＭＲでロックされた本嵌合状態でオン状態とされ、サブロック部ＳＲでロックされた仮嵌合状態でオフ状態とされる。したがって、サブスイッチ部ＳＳｗがオフ状態とされて信号線３同士の電気的接続状態が解除された後、サブロック部ＳＲによるロックを解除しないとメインスイッチ部ＭＳｗをオフ状態として電源線２同士の電気的接続状態を解除することができない。これにより、信号線３同士の接続解除直後に電源線２同士の接続が解除されることで生じる残留電流によるアークやスパーク等の発生を抑制することができる。
【００６０】
以上、説明したように、本実施形態に係るコネクタ１によれば、第２端子７０の接触片８２が第１端子６０の幅寸法Ｗよりも大きな間隔Ｇをあけて互いに対向位置に配置されている。したがって、第１コネクタハウジング１０に対して第２コネクタハウジング２０が嵌合及び離脱されて接触片８２の間に第１端子６０が挿抜される際に、第１端子６０の端子板部６２に対して第２端子７０の接触片８２が摺動されない。そして、第１コネクタハウジング１０に第２コネクタハウジング２０が完全嵌合されて第２端子７０が引込位置に変位すると、接触片８２が押圧板部９３によって第１端子６０へ向かってそれぞれ押圧される。これにより、第２端子７０の接触片８２が第１端子６０の端子板部６２へ接触されて導通され、良好な導通状態が確保される。
【００６１】
つまり、第１端子６０の端子板部６２と第２端子７０の接触片８２とが摺動しないので、第１端子６０及び第２端子７０の表面の削れを抑制することができ、削れた金属粉の発生を抑えることができる。特に、第１端子６０及び第２端子７０の表面にメッキ処理を施した場合では、そのメッキが剥がれて露出した下地が酸化して電気抵抗が増加するなどの不具合を抑えることができる。したがって、互いに接続される第１端子６０及び第２端子７０における高い接続信頼性を維持させることができる。
【００６２】
しかも、第２コネクタハウジング２０は、第２端子７０を初期位置へ向かって付勢するコイルバネ９６を有している。したがって、第１コネクタハウジング１０に対して第２コネクタハウジング２０が離間された際に、コイルバネ９６によって第２端子７０を、重力等の外力に影響されることなく初期位置へ円滑に戻すことができる。これにより、設置する際の姿勢の制限をなくすことができる。
【００６３】
また、第２コネクタハウジング２０は、回動可能に支持されたレバー４０を備え、レバー４０が回動されることで、第１コネクタハウジング１０に対する嵌合力が付与される。したがって、レバー４０を回動させることで、第１コネクタハウジング１０に対する第２コネクタハウジング２０の嵌合を小さな操作力で容易に行うことができる。これにより、操作性に優れたコネクタ１を提供できる。
【００６４】
そして、上記のコネクタ１からなる電源回路遮断装置によれば、接続信頼性の高い第１端子６０と第２端子７０とからなるメインスイッチ部ＭＳｗを備えるので、高い信頼性が得られる。
【００６５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６６】
例えば、上記実施形態では、回動されることで第２コネクタハウジング２０と第１コネクタハウジング１０との間に嵌合力を付与するレバー４０を設けたが、レバー４０は必ずしも設けなくてよい。
【００６７】
また、上記実施形態では、第２端子７０を初期位置へ向かって付勢する付勢部材としてコイルバネ９６を設けたが、付勢部材はコイルバネ９６に限らない。例えば、ホルダ７１の上面板部９１の内面または第２端子７０の平板部８１の上面に付勢部材となるバネ片を一体に形成してもよい。
【００６８】
ここで、上述した本発明に係るコネクタ及び電源回路遮断装置の実施形態の特徴をそれぞれ以下［１］〜［５］に簡潔に纏めて列記する。
［１］  第１コネクタハウジング（１０）と、
前記第１コネクタハウジング（１０）に嵌合及び離脱される第２コネクタハウジング（２０）と、
前記第１コネクタハウジング（１０）に設けられ、電気絶縁性を有する板部（絶縁板部１９）を介して一対の端子板部（６２）が重ね合わされた第１端子（６０）と、
前記第２コネクタハウジング（２０）に設けられ、前記第１端子（６０）の幅寸法（Ｗ）よりも大きな間隔（Ｇ）をあけて互いに対向位置に配置された接触片（８２）を有し、前記第１コネクタハウジング（１０）に対して前記第２コネクタハウジング（２０）が嵌合及び離脱されることで前記接触片（８２）の間に前記第１端子（６０）が挿抜されるＵ字状の第２端子（７０）と、
を備え、
前記第２コネクタハウジング（２０）は、前記第１コネクタハウジング（１０）への嵌合方向に延在する一対の押圧板部（９３）を有し、
前記第２端子（７０）は、前記押圧板部（９３）間に収容されて前記接触片（８２）の一部が前記押圧板部（９３）間から突出した初期位置と前記押圧板部（９３）間に入り込んだ引込位置との間で変位可能とされ、
前記第１コネクタハウジング（１０）に前記第２コネクタハウジング（２０）が完全に嵌合される本嵌合状態で、前記第２端子（７０）が前記押圧板部（９３）間へ押し込まれて前記初期位置から前記引込位置に変位し、前記接触片（８２）が前記押圧板部（９３）によって前記第１端子（６０）へ向かってそれぞれ押圧されて前記端子板部（６２）へ接触される
ことを特徴とするコネクタ。
［２］  前記第２コネクタハウジング（２０）は、前記第２端子（７０）を前記初期位置へ向かって付勢する付勢部材（コイルバネ９６）を有する
ことを特徴とする［１］に記載のコネクタ。
［３］  前記第２コネクタハウジング（２０）は、回動可能に支持されたレバー（４０）を備え、
前記レバー（４０）が回動されることで、前記第１コネクタハウジング（１０）に対する嵌合力が付与される
ことを特徴とする［１］または［２］に記載のコネクタ。
［４］  ［１］〜［３］のいずれか一つに記載のコネクタ（１）からなり、前記第１端子（６０）と前記第２端子（７０）とが、電源回路をオン・オフさせるスイッチ部（メインスイッチ部ＭＳｗ）とされている
ことを特徴とする電源回路遮断装置。
［５］  前記本嵌合状態において前記スイッチ部（メインスイッチ部ＭＳｗ）とともにオン状態とされ、前記第１コネクタハウジング（１０）に対して前記第２コネクタハウジング（２０）が離脱方向へ変位する途中で前記スイッチ部（メインスイッチ部ＭＳｗ）がオン状態に維持される仮嵌合状態においてオフ状態とされて前記スイッチ部（メインスイッチ部ＭＳｗ）の回路の通電を遮断するサブスイッチ部（ＳＳｗ）を備える
ことを特徴とする［４］に記載の電源回路遮断装置。
【符号の説明】
【００６９】
１：コネクタ
１０：第１コネクタハウジング
１９：絶縁板部（板部）
２０：第２コネクタハウジング
４０：レバー
６０：第１端子
６２：端子板部
７０：第２端子
８２：接触片
９３：押圧板部
９６：コイルバネ（付勢部材）
Ｇ：間隔
ＭＳｗ：メインスイッチ部（スイッチ部）
ＳＳｗ：サブスイッチ部
Ｗ：幅寸法
【図１】
2020202028.tif 000003
【図２】
2020202028.tif 000004
【図３】
2020202028.tif 000005
【図４】
2020202028.tif 000006
【図５】
2020202028.tif 000007
【図６】
2020202028.tif 000008
【図７】
2020202028.tif 000009
【図８】
2020202028.tif 000010
【図９】
2020202028.tif 000011
【図１０】
2020202028.tif 000012
【図１１】
2020202028.tif 000013